(57)【要約】【課題】従来の装飾用チェーンは、太さに差はあるにしても線材からなっているため重量感に乏しく、素材となる金、銀、プラチナなどの貴金属の豪華さや高級感などを十分に引き出すことができなかった。【解決手段】  チェーンを構成する駒を所定の内径、外形及び長さを有する略円筒形状とし、円筒体１の一方の端部２ａには円の中心を挟んで対向する位置に円周方向の断面形状が開口部を有する略Ｕ字形状の凹部３ａを形成し、円筒体１の他方の端部２ｂにも同様に円の中心を挟んで対向する位置に円周方向の断面形状が開口部を有する略Ｕ字形状の凹部３ｂを形成した。そして、互いの凹部同士が遊嵌した状態で複数の駒を連結するようにした装飾用チェーンを実現した。【選択図】  図１
2006122113.tif 000002
【特許請求の範囲】
【請求項１】
複数の駒を連結してなる装飾用チェーンであって、前記駒は中央部を貫通する空洞とした筒形状をなしており、該筒形状の各両端部には一対の凹部が形成され、前記筒形状の長さ方向に垂直な面方向における前記２組の一対の凹部の位置関係は、前記一対の凹部同士を結ぶ直線が立体的に交差し、且つその立体交差点を対称の中心として略点対称に配置されていることを特徴とする装飾用チェーン。
【請求項２】
前記各凹部は、前記筒形状の駒の端部周回方向の断面形状が開口部を有する略Ｕ字形状であり、且つ該Ｕ字形状の底部が、円弧、直線、曲率の異なる複数の曲線の連接、複数の直線の連接、円弧又は曲率の異なる複数の曲線と１つ以上の直線との組み合わせによる連接、の中から選ばれた１つで構成されていることを特徴とする請求項１に記載の装飾用チェーン。
【請求項３】
前記全ての凹部の深さは、前記筒形状の駒の長さの１／２以上であることを特徴とする請求項１又は２の何れか１項に記載の装飾用チェーン。
【請求項４】
前記筒形状の駒の端部外周形状が、円、四角形以上の多角形、曲率の異なる複数の曲線の連接、円弧又は曲率の異なる複数の曲線と１つ以上の直線との組み合わせによる連接、の中から選ばれた１つで構成されていることを特徴とする請求項１〜３の何れか１項に記載の装飾用チェーン。
【請求項５】
前記筒形状の駒の筒部外周面は、該筒部の肉厚方向の断面形状が円弧、直線、曲率の異なる複数の曲線の連接、複数の直線の連接、円弧又は曲率の異なる複数の曲線と１つ以上の直線との組み合わせによる連接、の中から選ばれた１つで構成されていることを特徴とする請求項１〜４の何れか１項に記載の装飾用チェーン。
【請求項６】
前記複数の駒が交差して連結され、隣り合う２つの駒は互いの凹部同士が遊嵌されることを特徴とする請求項１〜５の何れか１項に記載の装飾用チェーン。
【発明の詳細な説明】
【技術分野】
【０００１】
本発明は、ネックレスやブレスレットなど、体の部位に掛けたり巻いたりする装身具として使用される装飾用チェーンに関する。
【背景技術】
【０００２】
従来、この種の装身具の代表的なものとして喜平型チェーンと称されるものがある。この喜平型チェーンは単純に輪（駒）をつないだだけの鎖を1つずつ９０度にねじって加工したものをいい、チェーンデザインを代表する最も伝統的で流行に左右されない不変の名作といわれている。
【０００３】
但し、喜平型チェーンは内部に駒の太さに関係なく構造的に空隙が生じるものであり、この空隙が装身具としての価値を損なうことになる。そこで、チェーンの長手方向から圧縮荷重を加え、更に長手方向に直交する方向からチェーンの周面に圧縮荷重を加えることによってチェーン内部の空隙を潰して完全に密なものとして装飾性を向上させることが提案されている（例えば、特許文献１参照。）。
【特許文献１】特開平１０−３３２２２号公報
【発明の開示】
【発明が解決しようとする課題】
【０００４】
しかしながら、上記喜平型チェーンはチェーンを構成する駒が太さに差はあるにしても線材からなっており、このような駒を連結して組み上げたチェーンは重量感に乏しいものとならざるを得ない。特に、金、銀、プラチナなどの貴金属を使用した装飾用チェーンにおいては重量感が乏しいために折角の貴金属の豪華さや高級感などを十分に引き出すことができず、更なる装飾性の向上の余地を残すものとなっている。
【０００５】
また、チェーン内部の空隙を潰して完全に密なものとしたことによって、柔軟性、屈曲性及び捩れの自由度が阻害され、装身具としての使用方法に制約が加わるという問題点を含んでいるものである。
【０００６】
そこで、本発明は上記問題に鑑みて創案なされたもので、重量感のあるチェーンによって貴金属の豪華さ、高級感などの装飾性を十分に表現でき、柔軟性、屈曲性及び捩れの自由度が十分確保でき、使用時には人間の体勢に応じて自然に形を変えることによって美観を損なわない装飾用チェーンを提供するものである。
【課題を解決するための手段】
【０００７】
上記課題を解決するために、本発明の請求項１に記載された発明は、複数の駒を連結してなる装飾用チェーンであって、前記駒は中央部を貫通する空洞とした筒形状をなしており、該筒形状の各両端部には一対の凹部が形成され、前記筒形状の長さ方向に垂直な面方向における前記２組の一対の凹部の位置関係は、前記一対の凹部同士を結ぶ直線が立体的に交差し、且つその立体交差点を対称の中心として略点対称に配置されていることを特徴とするものである。
【０００８】
また、本発明の請求項２に記載された発明は、請求項１において、前記各凹部は、前記筒形状の駒の端部周回方向の断面形状が開口部を有する略Ｕ字形状であり、且つ該Ｕ字形状の底部が、円弧、直線、曲率の異なる複数の曲線の連接、複数の直線の連接、円弧又は曲率の異なる複数の曲線と１つ以上の直線との組み合わせによる連接、の中から選ばれた１つで構成されていることを特徴とするものである。
【０００９】
また、本発明の請求項３に記載された発明は、請求項１又は２の何れか１項において、前記全ての凹部の深さは、前記筒形状の駒の長さの１／２以上であることを特徴とするものである。
【００１０】
また、本発明の請求項４に記載された発明は、請求項１〜３の何れか１項において、前記筒形状の駒の端部外周形状が、円、四角形以上の多角形、曲率の異なる複数の曲線の連接、円弧又は曲率の異なる複数の曲線と１つ以上の直線との組み合わせによる連接、の中から選ばれた１つで構成されていることを特徴とするものである。
【００１１】
また、本発明の請求項５に記載された発明は、請求項１〜４の何れか１項において、前記筒形状の駒の筒部外周面は、該筒部の肉厚方向の断面形状が円弧、直線、曲率の異なる複数の曲線の連接、複数の直線の連接、円弧又は曲率の異なる複数の曲線と１つ以上の直線との組み合わせによる連接、の中から選ばれた１つで構成されていることを特徴とするものである。
【００１２】
また、本発明の請求項６に記載された発明は、請求項１〜５何れか１項において、前記複数の駒が交差して連結され、隣り合う２つの駒は互いの凹部同士が遊嵌されることを特徴とするものである。
【発明の効果】
【００１３】
本発明の装飾用チェーンは、チェーンを構成する駒を、中央部を貫通する空洞とした筒体の各両端部に一対の凹部を形成した形状とすることにより、貴金属を使用した装飾品としての重量感や豪華さや高級感などを十分に引き出す利点を有する。
【発明を実施するための最良の形態】
【００１４】
貴金属を使用した装飾品としての重量感や豪華さや高級感などを十分に引き出す目的を、中央部を貫通する空洞とした筒形状の駒の各両端部に一対の凹部を形成し、互いの凹部同士を遊嵌させて複数の駒を交差・連結することによって実現した。
【００１５】
以下、この発明の好適な実施例を図１から図１０を参照しながら詳細に説明する。尚、以下に述べる実施例は、本発明の好適な具体例であるから、技術的に好ましい種々の限定が付されているが、本発明の範囲は、以下の説明において特に本発明を限定する旨の記載がない限り、これらの実施例に限られるものではない。
【実施例１】
【００１６】
図１は本発明に係わる装飾用チェーンを構成する駒の実施例１を示した斜視図である。この駒２０は所定の内径、外形及び長さを有する略円筒形状をなす円筒体１である。そして円筒体１の一方の端部２ａには円の中心を挟んで対向する位置に円周方向の断面形状が開口部を有する略Ｕ字形状の凹部３ａが形成されている。
【００１７】
また、同様に円筒体１の他方の端部２ｂにも同様に円の中心を挟んで対向する位置に円周方向の断面形状が開口部を有する略Ｕ字形状の凹部３ｂが形成されている。
【００１８】
そして、上記円筒体１に設けられた４ヶ所の凹部は、円筒体１の夫々の端部２ａ、２ｂに設けられた２ヶ所の凹部３ａ、３ｂ同士を結ぶ直線が略垂直となるような位置関係になっている。
【００１９】
更に、円筒体１に設けられた４ヶ所の凹部における開口部の幅ｗ１は円筒体１の肉厚ｗ２よりも大きく形成されている。そのため、駒２０同士を交差させて連結した時に互いの凹部同士が遊嵌した部分の凹部底部の残肉部４が互いの凹部内に完全に落とし込まれる状態になる。
【００２０】
そこで、上記形状の駒２０を複数個順次交差させて連結すると図２のようなチェーン３０が形成される。この場合、隣り合う駒は夫々に設けられた４ヶ所の凹部のうち２ヶ所の凹部同士が遊嵌されることによって位置決めされる。この２ヶ所の遊嵌部の遊嵌状態を表したものが図３（ａ）、（ｂ）及び図４（ａ）、（ｂ）であり、図３（ａ）は図２で示したチェーンを基台上に置いたときのＡ−Ａ断面図、（ｂ）は図２で示したチェーンを駒２０ｎを中空で支持したときのＡ−Ａ断面図である。同様に、図４（ａ）は図２で示したチェーンを基台上に置いたときのＢ−Ｂ断面図、（ｂ）は図２で示したチェーンを駒２０ｎ＋１を中空で支持したときのＢ−Ｂ断面図である。
【００２１】
なお、上記のように、図１において円筒体１に設けられた凹部の開口部の幅ｗ１は円筒体の肉厚ｗ２よりも大きく形成されている。従って、図３（ａ）に示すように、駒２０ｎの凹部５と駒２０ｎ＋１との間には隙間Ｐ１ができ、駒２０ｎ＋１の凹部６と駒２０ｎとの間には隙間Ｐ２ができる。同様に図４（ａ）に示すように、駒２０ｎ＋１の凹部７と駒２０ｎとの間には隙間Ｐ３ができ、駒２０ｎの凹部８と駒２０ｎ＋１との間には隙間Ｐ４ができる。
【００２２】
そこで、隙間Ｐ１及びＰ３によって連結された隣り合う２つの駒２０ｎと２０ｎ＋１の相互の円周方向の動きに自由度が生る。また、隙間Ｐ２及びＰ４によって連結された隣り合う２つの駒２０ｎと２０ｎ＋の相互の厚み方向の動きに自由度が生じ、図３（ｂ）及び図４（ｂ）のような状態になると共に、捩れの動きも確保することができるものである。そして、連結された隣り合う２つの駒２０ｎと２０ｎ＋１の相互に遊嵌する部分の隙間Ｐ１〜Ｐ４によって捩れ、屈曲性を含めた柔軟な動きを確保することができるものである。
【００２３】
従って、隣り合う２つの駒の相互に遊嵌する部分の隙間を適宜設定することにより、所望する捩れ、屈曲性、柔軟性などの動きの幅を制御することができ、使用方法の幅広い展開が可能となる。
【００２４】
また、各駒の全ての凹部の深さを略円筒状の長さの略１／２とすることで、チェーンをフリーにしたときの円筒形状の両端面を面一にして駒の段差を無くすことができる。
【実施例２】
【００２５】
図５は本発明に係わる装飾用チェーンを構成する駒の実施例２を示した斜視図である。
この駒４０は所定の肉厚及び辺の長さを有する略矩形筒形状をなす矩形筒体４１である。そして矩形筒体４１の一方の端部４２ａには対向する辺の略中間位置に端部４２ａ周回方向の断面形状が開口部を有する略Ｕ字形状の凹部４３ａが形成されている。
【００２６】
また、同様に矩形筒体４１の他方の端部４２ｂにも同様に対向する辺の略中間位置に端部４２ｂ周回方向の断面形状が開口部を有する略Ｕ字形状の凹部４３ｂが形成されている。
【００２７】
そして、上記矩形筒体４１に設けられた４ヶ所の凹部は、矩形筒体４１の夫々の端部４２ａ、４２ｂに設けられた２ヶ所の凹部４３ａ、４３ｂ同士を結ぶ直線が略垂直となるような位置関係になっている。
【００２８】
更に、矩形筒体４１に設けられた４ヶ所の凹部における開口部の幅ｗ３は矩形体４１の肉厚ｗ４よりも大きく形成されている。そのため、駒４０同士を交差させて連結した時に互いの凹部同士が遊嵌した部分の凹部底部の残肉部４４が互いの凹部内に完全に落とし込まれる状態になる。
【００２９】
なお、上記形状の駒４０を複数個順次交差させて連結する様子は、上記実施例１と同様であるので説明は省略する。
【実施例３】
【００３０】
図６は本発明に係わる装飾用チェーンを構成する駒の実施例３を示したものであり、（ａ）は平面図、（ｂ）は（ａ）のＣ−Ｃ断面図である。この駒５０は端部５１ａの外周５２形状が８つの直線を連接して構成された８角形をなす８角形筒体である。そして８角形筒体の一方の端部５１ａには８角形の中心を挟んで対向する位置に端部５１ａ周回方向の断面形状が開口部を有する略Ｕ字形状の凹部５３ａが形成されている。
【００３１】
また、同様に８角形筒体の他方の端部５１ｂにも同様に８角形の中心を挟んで挟んで対向する位置に端部５１ｂ周回方向の断面形状が開口部を有する略Ｕ字形状の凹部５３ｂが形成されている。
【００３２】
そして、上記角形筒体に設けられた４ヶ所の凹部は、８角形筒体の夫々の端部５１ａ、５１ｂに設けられた２ヶ所の凹部５３ａ、５３ｂ同士を結ぶ直線が略垂直となるような位置関係になっている。
【００３３】
更に、８角形筒体に設けられた４ヶ所の凹部における開口部の幅ｗ５は８角形筒体の肉厚ｗ６よりも大きく形成されている。そのため、駒５０同士を交差させて連結した時に互いの凹部同士が遊嵌した部分の凹部底部の残肉部５４が互いの凹部内に完全に落とし込まれる状態になる。
【００３４】
なお、上記形状の駒５０を複数個順次交差させて連結する様子は、上記実施例１及び２と同様であるので説明は省略する。
【実施例４】
【００３５】
図７は本発明に係わる装飾用チェーンを構成する駒の実施例４を示したものであり、（ａ）は平面図、（ｂ）は（ａ）のＤ−Ｄ断面図である。この駒６０は端部６１ａの外周６２形状が４つの直線を連接して構成されたひし形をなすひし形筒体である。そしてひし形筒体の一方の端部６１ａには対向する辺の略中間位置に端部６１ａ周回方向の断面形状が開口部を有する略Ｕ字形状の凹部６３ａが形成されている。
【００３６】
また、同様にひし形筒体の他方の端部６１ｂにも同様に８角形の中心を挟んで対向する位置に端部６１ｂ周回方向の断面形状が開口部を有する略Ｕ字形状の凹部６３ｂが形成されている。
【００３７】
そして、上記角形筒体に設けられた４ヶ所の凹部は、ひし形筒体のひし形の中心を対称の中心として略点対称になるような位置関係になっている。
【００３８】
更に、ひし形筒体に設けられた４ヶ所の凹部における開口部の幅ｗ７はひし形筒体の肉厚ｗ８よりも大きく形成されている。そのため、駒６０同士を交差させて連結した時に互いの凹部同士が遊嵌した部分の凹部底部の残肉部６４が互いの凹部内に完全に落とし込まれる状態になる。
【００３９】
なお、上記形状の駒６０を複数個順次交差させて連結する様子は、上記実施例１〜３と同様であるので説明は省略する。
【実施例５】
【００４０】
図８は本発明に係わる装飾用チェーンを構成する駒の実施例５を示したものであり、（ａ）は平面図、（ｂ）は（ａ）のＥ−Ｅ断面図である。この駒７０は端部７１ａの外周７２形状が２つの円弧と２つ直線を連接して構成された略楕円形状をなす楕円筒体である。そして楕円筒体の一方の端部７１ａには楕円の中心を挟んで対向する位置に端部７１ａ周回方向の断面形状が開口部を有する略Ｕ字形状の凹部７３ａが形成されている。
【００４１】
また、同様に楕円筒体の他方の端部７１ｂにも同様に楕円の中心を挟んで対向する位置に端部７１ｂ周回方向の断面形状が開口部を有する略Ｕ字形状の凹部７３ｂが形成されている。
【００４２】
そして、上記楕円筒体に設けられた４ヶ所の凹部は、楕円筒体の楕円の中心を対称の中心として略点対称になるような位置関係になっている。
【００４３】
更に、楕円筒体に設けられた４ヶ所の凹部における開口部の幅ｗ９は楕円筒体の肉厚ｗ１０よりも大きく形成されている。そのため、駒７０同士を交差させて連結した時に互いの凹部同士が遊嵌した部分の凹部底部の残肉部７４が互いの凹部内に完全に落とし込まれる状態になる。
【００４４】
なお、上記形状の駒７０を複数個順次交差させて連結する様子は、上記実施例１〜４と同様であるので説明は省略する。
【００４５】
以上、５つの実施例を挙げて説明してきたが、何れの実施例においても基本となる要素は、チェーンを構成する駒の形状が筒形状であり、筒形状の各両端面に一対の凹部が形成されていることである。
【００４６】
従って、この基本要素を盛り込んだ構成であれば、筒の形状は上記実施例１〜５で示した円、矩形、８角形、ひし形及び楕円に限られるものではなく、筒形状の駒の端部外周形状を、円、四角形以上の多角形、曲率の異なる複数の曲線の連接、円弧又は曲率の異なる複数の曲線と１つ以上の直線との組み合わせによる連接、の中から選ばれた１つで構成することにより様々な形状の駒が実現可能となる。
【００４７】
また、ここまでは言及しなかったが、筒形状の駒の端部の外周形状と内周形状とは必ずしも同一形状にする必要はなく、外周形状に拘ることなく内周形状を自由な形状に形成することも可能である。
【００４８】
また、筒形状の駒の筒部外周面は、該筒部の肉厚方向の断面形状で示したとき、実施例１〜５においては直線で示されるが、必ずしも直線である必要はなく、例えば、図９で示す円弧、図１０で示す８角形の半分（４つの直線を連接した構成）の形状でも良い。その他、曲率の異なる複数の曲線の連接、複数の直線の連接、円弧又は曲率の異なる複数の曲線と１つ以上の直線との組み合わせによる連接、の中から選ばれた１つで構成することにより様々な側面形状の駒が実現可能となる。
【００４９】
更に、実施例１〜５において、筒形状の駒に設けられた凹部底部の断面形状を曲線としたが、特に曲線に限定されるものではなく、円弧、直線、曲率の異なる複数の曲線の連接、複数の直線の連接、円弧又は曲率の異なる複数の曲線と１つ以上の直線との組み合わせによる連接、の中から選ばれた１つで構成することも可能である。つまり、自由な形状が可能である。
【００５０】
ここで、本発明の装飾用チェーンの効果を説明する。まず、チェーンを構成する駒を線材ではなく筒形状の塊として重量感を持たせたことにより、駒の材料となる金、銀、プラチナなどの高級貴金属素材の豪華さや高級感などを生かした装飾性の高い魅力ある装飾用チェーンを実現することができる。
【００５１】
また、チェーンを構成する駒を交差させて連結する際に、夫々の駒に形成された凹部同士を隙間を確保して遊嵌させることにより、柔軟性、屈曲性及び捩れの自由度が十分確保でき、使用時には人間の体勢に応じて自然に形を変えることによって美観を損なわない装飾用チェーンを実現することができる。
【００５２】
更に、筒形状の駒の端部、側面及び凹部の形状を自由に設定することができる。よって、デザインの自由度が増し、豊富な種類の製品を市場に提供することができる。などの優れた効果を奏するものである。
【図面の簡単な説明】
【００５３】
【図１】本発明に係わる装飾用チェーンの実施例１を構成する駒を示す斜視図である。
【図２】本発明に係わる装飾用チェーンの実施例１を示す部分平面図である。
【図３】本発明に係わる装飾用チェーンの実施例１を構成する駒同士が遊嵌した状態を示す部分断面図であり、（ａ）は装飾用チェーンを基台上に置いたときの図２のＡ−Ａ断面図、（ｂ）は装飾用チェーンをフリーにしたときの図２のＡ−Ａ断面図である。
【図４】同じく、本発明に係わる装飾用チェーンの実施例１を構成する駒同士が遊嵌した状態を示す部分断面図であり、（ａ）は装飾用チェーンを基台上に置いたときの図２のＢ−Ｂ断面図、（ｂ）は装飾用チェーンをフリーにしたときの図２のＢ−Ｂ断面図である。
【図５】本発明に係わる装飾用チェーンの実施例２を構成する駒を示す斜視図である。
【図６】本発明に係わる装飾用チェーンの実施例３を構成する駒を示す図であり、（ａ）は平面図、（ｂ）は（ａ）のＣ−Ｃ断面図である。
【図７】本発明に係わる装飾用チェーンの実施例４を構成する駒を示す図であり、（ａ）は平面図、（ｂ）は（ａ）のＣ−Ｃ断面図である。
【図８】本発明に係わる装飾用チェーンの実施例５を構成する駒を示す図であり、（ａ）は平面図、（ｂ）は（ａ）のＣ−Ｃ断面図である。
【図９】本発明の装飾用チェーンを構成する駒を肉厚方向に切断したときの駒部の例を示す部分断面図である。
【図１０】本発明の装飾用チェーンを構成する駒を肉厚方向に切断したときの駒部の他の例を示す部分断面図である。
【符号の説明】
【００５４】
１    円筒体
２ａ、２ｂ    端部
３ａ、３ｂ    凹部
４    残肉部
５    凹部
６    凹部
７    凹部
８    凹部
２０    駒
３０    チェーン
４０    駒
４１    矩形筒体
４２ａ、４２ｂ    端部
４３ａ、４３ｂ    凹部
４４    残肉部
５０    駒
５１ａ、５１ｂ    端部
５２    外周
５３ａ、５３ｂ    凹部
５４    残肉部
６０    駒
６１ａ、６１ｂ    端部
６２    外周
６３ａ、６３ｂ    凹部
６４    残肉部
７０    駒
７１ａ、７１ｂ    端部
７２    外周
７３ａ、７３ｂ    凹部
７４    残肉部
【図１】
2006122113.tif 000003
【図２】
2006122113.tif 000004
【図３】
2006122113.tif 000005
【図４】
2006122113.tif 000006
【図５】
2006122113.tif 000007
【図６】
2006122113.tif 000008
【図７】
2006122113.tif 000009
【図８】
2006122113.tif 000010
【図９】
2006122113.tif 000011
【図１０】
2006122113.tif 000012